(57)【要約】  情報記録媒体、記録／再生装置及び記録／再生方法を提供する。各記録層は、リードイン領域またはリードアウト領域、データ領域、連結領域、専用領域を含み、記録層に記録されるデータの容量に対応するようにフレキシブルにデータ領域が割り当てられ、データ領域後に連結領域が割り当てられ、連結領域後に専用領域が割り当てられる複数の記録層を備えた情報記録媒体。これにより、複数の記録層を備えた光ディスクの外周領域に所定目的のための専用領域を選択的に割り当てることができる。特に、光ディスクの記録特性及び外周領域の記録特性を考慮して外周領域に所定目的のための専用領域を選択的に割り当てることができる多様な光ディスクのフォーマットを提供する。
2008507068.tif 000002
【特許請求の範囲】
【請求項１】
複数の記録層を備えた情報記録媒体において、
前記各記録層は、リードイン領域またはリードアウト領域、データ領域、連結領域、専用領域を含み、
前記記録層に記録されるデータの容量に対応するようにフレキシブルに前記データ領域が割り当てられ、前記データ領域の後に前記連結領域が割り当てられ、前記連結領域の後に前記専用領域が割り当てられることを特徴とする情報記録媒体。
【請求項２】
前記専用領域は、前記連結領域に隣接しており、前記連結領域の以後から前記記録層の外周まで割り当てられることを特徴とする請求項１に記載の情報記録媒体。
【請求項３】
前記専用領域は、前記連結領域に隣接しており、前記専用領域の大きさはあらかじめ決められていることを特徴とする請求項１に記載の情報記録媒体。
【請求項４】
前記専用領域の開始位置と前記専用領域の容量は、あらかじめ決まっていることを特徴とする請求項１に記載の情報記録媒体。
【請求項５】
前記専用領域は、データ記録または再生条件のテストのための専用領域であることを特徴とする請求項１に記載の情報記録媒体。
【請求項６】
複数の記録層を備えた情報記録媒体において、
前記媒体に記録されるデータの容量によってフレキシブルに割り当てられる第１データ領域、前記第１データ領域の割当てによってフレキシブルに割り当てられる第１フレキシブル専用領域パート、第１固定専用領域パートを含む第１記録層と、
前記媒体に記録されるデータの容量によってフレキシブルに割り当てられる第２データ領域、前記第２データ領域の割当てによってフレキシブルに割り当てられる第１フレキシブル専用領域パート、第１固定専用領域パートを含む第２記録層とを含むことを特徴とする情報記録媒体。
【請求項７】
前記第１固定専用領域パートは、第１専用領域を含み、
前記第２固定専用領域パートは、第２専用領域を含み、
前記第１専用領域に対応する位置にある前記第２記録層の第１対応領域及び前記第２専用領域に対応する位置にある前記第１記録層の第２対応領域は、各々未記録状態になっていることを特徴とする請求項６に記載の情報記録媒体。
【請求項８】
前記第１専用領域及び前記第２専用領域でのデータ記録方向は、互いに対向する記録方向であり、前記第１専用領域の最終位置及び前記第２専用領域の最終位置は、フレキシブルに決まることを特徴とする請求項７に記載の情報記録媒体。
【請求項９】
前記第１対応領域と前記第１専用領域との間及び前記第２対応領域と前記第２専用領域との間には、前記第２記録層へのデータ記録時に前記第１記録層に亙るビームの半径影響で使用できない領域を考慮したバッファ領域が備えられることを特徴とする請求項７に記載の情報記録媒体。
【請求項１０】
前記第１固定専用領域パートは、前記第１専用領域前に既定の位置にある第１ミドル領域をさらに含み、
前記第２固定専用領域パートは、前記第２専用領域前に既定の位置にある第２ミドル領域をさらに含むことを特徴とする請求項７に記載の情報記録媒体。
【請求項１１】
前記第２固定専用領域パートは、第３専用領域をさらに含み、前記第３専用領域に対応する位置にある前記第１記録層の第３対応領域は、前記第３専用領域を使用する前にあらかじめデータが記録されていることを特徴とする請求項７に記載の情報記録媒体。
【請求項１２】
前記第３専用領域の最終位置は、フレキシブルであるかまたは固定されていることを特徴とする請求項１１に記載の情報記録媒体。
【請求項１３】
前記第１固定専用領域パートは、前記第１専用領域前に既定の位置にある第１ミドル領域をさらに含み、
前記第２固定専用領域パートは、前記第２専用領域前に既定の位置にある第２ミドル領域をさらに含むことを特徴とする請求項１１に記載の情報記録媒体。
【請求項１４】
前記第１フレキシブル専用領域パートは、第３ミドル領域と第４専用領域とを含み、
前記第２フレキシブル専用領域パートは、第４ミドル領域と第５専用領域とを含み、
前記第４専用領域に対応する位置にある前記第２記録層の第４対応領域及び前記第５専用領域に対応する位置にある前記第１記録層の第５対応領域は、各々未記録状態になっていることを特徴とする請求項６ないし１３のうち、いずれか一項に記載の情報記録媒体。
【請求項１５】
前記第４専用領域及び前記第５専用領域でのデータ記録方向は、互いに対向する記録方向であり、前記第４専用領域の最終位置及び前記第５専用領域の最終位置は、フレキシブルに決まることを特徴とする請求項１４に記載の情報記録媒体。
【請求項１６】
前記第５対応領域と前記第４専用領域との間、及び前記第４対応領域と前記第５専用領域との間には、前記第２記録層へのデータ記録時に前記第１記録層に亙るビームの半径影響で使用できない領域を考慮したバッファ領域が備えられることを特徴とする請求項１５に記載の情報記録媒体。
【請求項１７】
前記第２フレキシブル専用領域パートは、第６専用領域をさらに含み、前記第６専用領域に対応する位置にある前記第１記録層の第６対応領域は、前記第６専用領域を使用する前にあらかじめデータが記録されていることを特徴とする請求項１４に記載の情報記録媒体。
【請求項１８】
前記第６専用領域の最終位置は、フレキシブルであるか、または固定されていることを特徴とする請求項１７に記載の情報記録媒体。
【請求項１９】
前記第１フレキシブル専用領域パートと前記第１固定専用領域パートとの間の領域及び前記第２フレキシブル専用領域パートと前記第２固定専用領域パートとの間の領域には、データが記録されないことを特徴とする請求項１４に記載の情報記録媒体。
【請求項２０】
記録／再生装置において、
各記録層がリードイン領域またはリードアウト領域、データ領域、連結領域、専用領域を含む、複数の記録層を有する情報記録媒体に／からデータを記録／読出する書込み／読出し部と、
前記記録層に記録されるデータの容量に対応するようにフレキシブルに前記データ領域を割り当て、前記データ領域後に前記連結領域を割り当て、前記連結領域後に前記専用領域を割り当て、前記媒体に／からデータを記録／読出するように前記書込み／読出し部を制御する制御部とを備えることを特徴とする記録／再生装置。
【請求項２１】
前記制御部は、前記専用領域を前記連結領域に隣接して配置し、前記連結領域の大きさは固定して割り当てるか、フレキシブルに割り当てることを特徴とする請求項２０に記載の記録／再生装置。
【請求項２２】
前記制御部は、前記専用領域を、データ記録または再生条件のテストのための専用領域として使用することを特徴とする請求項２０に記載の記録／再生装置。
【請求項２３】
記録／再生装置において、
複数の記録層を含む情報記録媒体に／からデータを記録／読出する書込み／読出し部と、
前記媒体の第１記録層に前記媒体に記録されるデータの容量によってフレキシブルに割り当てられる第１データ領域、前記第１データ領域の割当てによって、フレキシブルに割り当てられる第１フレキシブル専用領域パート、第１固定専用領域パートを割り当て、
前記媒体の第２記録層に前記媒体に記録されるデータの容量によってフレキシブルに割り当てられる第２データ領域、前記第２データ領域の割当てによってフレキシブルに割り当てられる第１フレキシブル専用領域パート、第１固定専用領域パートを割り当て、
前記媒体に／からデータを記録／読出するように前記書込み／読出し部を制御する制御部とを備えることを特徴とする記録／再生装置。
【請求項２４】
前記第１固定専用領域パートは、第１専用領域を含み、  
前記第２固定専用領域パートは、第２専用領域を含み、
前記第１専用領域に対応する位置にある前記第２記録層の第１対応領域及び前記第２専用領域に対応する位置にある前記第１記録層の第２対応領域は、各々未記録状態になっていることを特徴とする請求項２３に記載の記録／再生装置。
【請求項２５】
前記制御部は、
前記第１専用領域及び前記第２専用領域でのデータ記録方向が互いに対向する記録方向になるように前記書込み／読出し部を制御し、
前記第１専用領域の最終位置及び前記第２専用領域の最終位置をフレキシブルに定めることを特徴とする請求項２４に記載の記録／再生装置。
【請求項２６】
前記第１対応領域と前記第１専用領域との間、及び前記第２対応領域と前記第２専用領域との間には、前記第２記録層へのデータ記録時に前記第１記録層に亙るビームの半径影響で使用できない領域を考慮したバッファ領域が備えられることを特徴とする請求項２４に記載の記録／再生装置。
【請求項２７】
前記第１固定専用領域パートは、前記第１専用領域前に既定の位置にある第１ミドル領域をさらに含み、
前記第２固定専用領域パートは、前記第２専用領域前に既定の位置にある第２ミドル領域をさらに含むことを特徴とする請求項２４に記載の記録／再生装置。
【請求項２８】
前記第２固定専用領域パートは、第３専用領域をさらに含み、前記第３専用領域に対応する位置にある前記第１記録層の第３対応領域は、前記第３専用領域を使用する前にあらかじめデータが記録されていることを特徴とする請求項２４に記載の記録／再生装置。
【請求項２９】
前記第３専用領域の最終位置は、フレキシブルであるか、または固定されていることを特徴とする請求項２８に記載の記録／再生装置。
【請求項３０】
前記第１固定専用領域パートは、前記第１専用領域前に既定の位置にある第１ミドル領域をさらに含み、
前記第２固定専用領域パートは、前記第２専用領域前に既定の位置にある第２ミドル領域をさらに含むことを特徴とする請求項２８に記載の記録／再生装置。
【請求項３１】
前記第１フレキシブル専用領域パートは、第３ミドル領域と第４専用領域と、を含み、
前記第２フレキシブル専用領域パートは、第４ミドル領域と第５専用領域と、を含み、
前記第４専用領域に対応する位置にある前記第２記録層の第４対応領域及び前記第５専用領域に対応する位置にある前記第１記録層の第５対応領域は、各々未記録状態になっていることを特徴とする請求項２３ないし３０のうち、いずれか一項に記載の記録／再生装置。
【請求項３２】
前記制御部は、
前記第４専用領域及び前記第５専用領域でのデータ記録方向が互いに対向する記録方向になるように前記書込み／読出し部をさらに制御し、
前記第４専用領域の最終位置及び前記第５専用領域の最終位置をフレキシブルに定めることを特徴とする請求項３１に記載の記録／再生装置。
【請求項３３】
前記第５対応領域と前記第４専用領域との間、及び前記第４対応領域と前記第５専用領域との間には、前記第２記録層へのデータ記録時に前記第１記録層に亙るビームの半径影響で使用できない領域を考慮したバッファ領域が備えられることを特徴とする請求項３２に記載の記録／再生装置。
【請求項３４】
前記第２フレキシブル専用領域パートは、第６専用領域をさらに含み、前記第６専用領域に対応する位置にある前記第１記録層の第６対応領域は、前記第６専用領域を使用する前にあらかじめデータが記録されていることを特徴とする請求項３１に記載の記録／再生装置。
【請求項３５】
前記第６専用領域の最終位置は、フレキシブルであるか、または固定されていることを特徴とする請求項３４に記載の記録／再生装置。
【請求項３６】
前記第１フレキシブル専用領域パートと前記第１固定専用領域パートと間の領域、及び前記第２フレキシブル専用領域パートと前記第２固定専用領域パートとの間の領域には、データが記録されないことを特徴とする請求項３１に記載の記録／再生装置。
【請求項３７】
記録／再生方法において、
各記録層がリードイン領域またはリードアウト領域、データ領域、連結領域、専用領域を含む、複数の記録層を有する情報記録媒体で前記記録層に記録されるデータの容量に対応するようにフレキシブルに前記データ領域を割り当て、前記データ領域後に前記連結領域を割り当て、前記連結領域後に前記専用領域を割り当てるステップと、
前記割り当てられたデータ領域に／からデータを記録／読出するステップとを含むことを特徴とする記録／再生方法。
【請求項３８】
前記専用領域を前記連結領域に隣接して配置し、前記連結領域の大きさは、固定して割り当てるか、フレキシブルに割り当てるステップをさらに含むことを特徴とする請求項３７に記載の記録／再生方法。
【請求項３９】
前記専用領域をデータ記録または再生条件のテストのための専用領域として使用するステップをさらに含むことを特徴とする請求項３７に記載の記録／再生方法。
【請求項４０】
記録／再生方法において、
複数の記録層を含む情報記録媒体の第１記録層に前記媒体に記録されるデータの容量によってフレキシブルに割り当てられる第１データ領域、前記第１データ領域の割当てによってフレキシブルに割り当てられる第１フレキシブル専用領域パート、第１固定専用領域パートを割り当て、
前記媒体の第２記録層に、前記媒体に記録されるデータの容量によってフレキシブルに割り当てられる第２データ領域、前記第２データ領域の割当てによってフレキシブルに割り当てられる第１フレキシブル専用領域パート、第１固定専用領域パートを割り当て、
前記割り当てられたデータ領域に／からデータを記録／読出するステップを含むことを特徴とする記録／再生方法。
【請求項４１】
前記第１固定専用領域パートは、第１専用領域を含み、
前記第２固定専用領域パートは、第２専用領域を含み、
前記第１専用領域に対応する位置にある前記第２記録層の第１対応領域及び前記第２専用領域に対応する位置にある前記第１記録層の第２対応領域は、各々未記録状態になっていることを特徴とする請求項４０に記載の記録／再生方法。
【請求項４２】
前記第１専用領域及び前記第２専用領域でのデータ記録方向が互いに対向する記録方向になるように記録するステップと、
前記第１専用領域の最終位置及び前記第２専用領域の最終位置をフレキシブルに定めるステップとをさらに含むことを特徴とする請求項４１に記載の記録／再生方法。
【請求項４３】
前記第１対応領域と前記第１専用領域との間、及び前記第２対応領域と前記第２専用領域との間には、前記第２記録層へのデータ記録時に前記第１記録層に亙るビームの半径影響で使用できない領域を考慮したバッファ領域を設けるステップをさらに含むことを特徴とする請求項４２に記載の記録／再生方法。
【請求項４４】
前記第１固定専用領域パートは、前記第１専用領域前に既定の位置にある第１ミドル領域をさらに含み、
前記第２固定専用領域パートは、前記第２専用領域前に既定の位置にある第２ミドル領域をさらに含むことを特徴とする請求項４０に記載の記録／再生方法。
【請求項４５】
前記第２固定専用領域パートは、第３専用領域をさらに含み、前記第３専用領域に対応する位置にある前記第１記録層の第３対応領域は、前記第３専用領域を使用する前にあらかじめデータが記録されていることを特徴とする請求項４０に記載の記録／再生方法。
【請求項４６】
前記第３専用領域の最終位置は、フレキシブルであるか、または固定されていることを特徴とする請求項４５に記載の記録／再生方法。
【請求項４７】
前記第１固定専用領域パートは、前記第１専用領域前に既定の位置にある第１ミドル領域をさらに含み、
前記第２固定専用領域パートは、前記第２専用領域前に既定の位置にある第２ミドル領域をさらに含むことを特徴とする請求項４５に記載の記録／再生方法。
【請求項４８】
前記第１フレキシブル専用領域パートは、第３ミドル領域と第４専用領域を含み、
前記第２フレキシブル専用領域パートは、第４ミドル領域と第５専用領域を含み、
前記第４専用領域に対応する位置にある前記第２記録層の第４対応領域及び前記第５専用領域に対応する位置にある前記第１記録層の第５対応領域は、各々未記録状態になっていることを特徴とする請求項４０に記載の記録／再生方法。
【請求項４９】
前記第４専用領域及び前記第５専用領域でのデータ記録方向が互いに対向する記録方向になるように記録するステップと、
前記第４専用領域の最終位置及び前記第５専用領域の最終位置をフレキシブルに定めるステップをさらに含むことを特徴とする請求項４８に記載の記録／再生方法。
【請求項５０】
前記第５対応領域と前記第４専用領域との間、及び前記第４対応領域と前記第５専用領域との間には、前記第２記録層へのデータ記録時に前記第１記録層に亙るビームの半径影響で使用できない領域を考慮したバッファ領域を設けるステップをさらに含むことを特徴とする請求項４９に記載の記録／再生方法。
【請求項５１】
前記第２フレキシブル専用領域パートは、第６専用領域をさらに含み、前記第６専用領域に対応する位置にある前記第１記録層の第６対応領域は、前記第６専用領域を使用する前にあらかじめデータが記録されていることを特徴とする請求項４８に記載の記録／再生方法。
【請求項５２】
前記第６専用領域の最終位置は、フレキシブルであることを特徴とする請求項５１に記載の記録／再生方法。
【請求項５３】
前記第１フレキシブル専用領域パートと前記第１固定専用領域パートとの間の領域及び前記第２フレキシブル専用領域パートと前記第２固定専用領域パートとの間の領域には、データが記録されないことを特徴とする請求項４８に記載の記録／再生方法。
【請求項５４】
前記第１ないし第３専用領域は、最適のパワー制御のためにテスト領域として使われることを特徴とする請求項１１に記載の情報記録媒体。
【請求項５５】
前記第３領域の最終位置は固定されたことを特徴とする請求項１１に記載の情報記録媒体。
【請求項５６】
前記第１ミドル領域の開始位置は、固定され、前記第３ミドル領域の開始位置は、前記第１データ領域の容量によって変わることを特徴とする請求項１３に記載の情報記録媒体。
【請求項５７】
前記第１フレキシブル専用領域パートと前記第１固定専用領域パートとの間の領域の右側は割り当てられ、前記第１フレキシブル専用領域パートと前記第１固定専用領域パートとの間の領域の左側は、選択的に決定されることを特徴とする請求項１９に記載の情報記録媒体。
【請求項５８】
前記第２フレキシブル専用領域パートと前記第２固定専用領域パートとの間の領域の右側は割り当てられ、前記第２フレキシブル専用領域パートと前記第２固定専用領域パートとの間の領域の左側は選択的に決定されることを特徴とする請求項１９に記載の情報記録媒体。
【請求項５９】
前記第６専用領域の最終位置は、固定されたことを特徴とする請求項１９に記載の情報記録媒体。
【請求項６０】
複数の記録層を含む情報記録媒体において、
各記録層は、リードイン領域及び／またはリードアウト領域、データ領域、ミドル領域及び専用領域を含み、各専用領域は、前記情報記録媒体の外周領域に選択的に割り当てられることを特徴とする情報記録媒体。
【請求項６１】
情報記録媒体の記録特性に基づいて外周領域に選択的に割り当てられた専用領域と外周領域とを有する情報記録媒体。
【発明の詳細な説明】
【技術分野】
【０００１】
本発明は、複数の記録層を備えた情報記録媒体に係り、さらに詳細には、光ディスクの外周領域に所定目的のための専用領域が割り当てられた情報記録媒体、記録／再生装置、記録再生方法に関する。
【背景技術】
【０００２】
一般的に光ディスクは、非接触式で情報を記録／再生する光ピックアップ装置の情報記録媒体として広く採用され、情報記録容量によってＣＤ（コンパクト  ディスク）、デジタル多機能ディスク（ＤＶＤ：デジタル  バーサタイル  ディスク）に区分される。そして、情報の記録、消去及び再生が可能な光ディスクとして、６５０ＭＢ  ＣＤ−Ｒ、ＣＤ−ＲＷ、４．７ＧＢ  ＤＶＤ＋Ｒ／ＲＷ、ＤＶＤ−ＲＡＭ（ランダム  アクセス  メモリ）、ＤＶＤ−Ｒ／ＲＷ（リライタブル）などがあり、再生専用ディスクとして６５０ＭＢ  ＣＤ、４．７ＧＢ  ＤＶＤ−ＲＯＭなどがある。なお、記録容量が１５ＧＢ以上である次世代ＤＶＤも開発中である。
【０００３】
図１Ａは、従来の技術による書換え型光ディスクの一般的な構造を示し、図１Ｂは、従来の技術による再生専用光ディスクの一般的な構造を示している。図１Ａに示された書換え型光ディスクのリードアウト領域の構造は、リードイン（ｌｅａｄ−ｉｎ）領域の構造とほぼ同一である。
【０００４】
図１Ａに示した書換え型光ディスクは、リードイン領域にディスク関連情報及びコピー防止情報などが制御データ領域にあらかじめ記録されており、またリードイン領域の記録可能な領域には、バッファと将来の使用のために予約領域と、最適のパワー制御（ＯＰＣ）のための最適のパワーテスト領域と、記録／再生装置またはディスク状態関連情報を記録するための情報領域が設けられている。しかし、再生専用ディスクの場合には、このようなテストゾーンが不要である。最適のパワー制御（ＯＰＣ）とは、データ記録及び／または再生装置が書換え型光ディスクにユーザデータを記録する前にあらかじめ多様な記録パワーでデータをテストゾーンに記録することによって、ユーザデータ記録のための最適の記録パワーを決定することを言う。
【０００５】
しかし、従来の書換え型光ディスクには、固定された位置に固定されたサイズのＯＰＣのためのテストゾーンが割り当てられるだけなので、必要によってテストゾーンをさらに割り当てるか、テストゾーンを大きくできないという問題がある。
【０００６】
さらに、複数の記録層を備えた光ディスクの場合、ある記録層にさきに記録するかによって、記録特性が変わるので、ＯＰＣのためのテスト領域を光ディスクに割り当てる時、記録特性を考慮して配置せねばならない。特に、光ディスクの外周領域にテスト領域を割り当てる場合には、外周領域の特性を考慮せねばならない。また、複数の記録層を備えた光ディスクの場合には、外周領域での記録特性が単一記録層を備えた光ディスクの場合よりさらに悪いので、これを考慮せねばならない。さらに、光ディスクの外周領域にテスト領域のみならず、その他の目的の領域を割り当てる場合にも同様に外周領域の特性を考慮して割り当てねばならない。
【０００７】
また、二重記録層光ディスクの場合、ピックアップから近い記録層Ｌ１に記録されているか否かによって、記録層Ｌ２の記録特性が変わる。したがって、Ｌ１、Ｌ２の順に記録を行なう場合、Ｌ２にデータ記録時に、Ｌ１には常にデータが記録されている。ＯＰＣのためにＬ２に設けられたテストゾーンにテスト用データを記録する場合にも、Ｌ１にあらかじめ記録されていなければならないので、事前記録領域がＬ１にあらかじめ割り当てられていなければならない。しかし、このような事前記録領域を割り当てるということは、データ記録及び／または再生装置の立場では、コスト高となるという短所が発生する。したがって、事前記録領域を割り当て、ＯＰＣのためのテストゾーンを割り当てるか否かは、選択的に決定することが要求される。したがって、このような場合、光ディスクには既定の位置のＯＰＣ領域とドライブとが選択的に使用しうるＯＰＣのためのテストゾーンが必要である。
【０００８】
また、二重記録層ディスクの外周領域に記録する場合、時間的にさらに効率的な記録のために連結領域（ミドル  エリア）の位置が単層ディスクで定義した位置と異なりうる。この場合、特に外周領域にＯＰＣのためのテスト領域を割り当てるための多様なレイアウトが必要となる。
【０００９】
さらに、光ディスクの外周領域にＯＰＣのためのテストゾーンのみならず、その他の目的のための専用領域を割り当てる場合にも、前述したような同じ問題があって、特別な考慮が必要である。
【発明の開示】
【発明が解決しようとする課題】
【００１０】
本発明が解決しようとする技術的課題は、ディスクの記録特性及び外周領域の記録特性を考慮して、外周領域に所定目的のための専用領域を選択的に割り当てることができる複数の記録層を備えた情報記録媒体、記録／再生装置、記録再生方法を提供するところにある。
【課題を解決するための手段】
【００１１】
このような課題を解決するための本発明の１つの特徴は、複数の記録層を備えた情報記録媒体において、前記各記録層は、リードイン領域またはリードアウト領域、データ領域、連結領域、専用領域を含み、前記記録層に記録されるデータの容量に対応するようにフレキシブルに前記データ領域が割り当てられ、前記データ領域後に前記連結領域が割り当てられ、前記連結領域後に前記専用領域が割り当てられる。
【００１２】
前記専用領域は、前記連結領域に隣接しており、前記連結領域以後から前記記録層の外周まで割り当てられるか、前記専用領域は、前記連結領域に隣接しており、前記専用領域の大きさは、あらかじめ決まっていても良い。
【００１３】
前記専用領域の開始位置と前記専用領域の容量は、あらかじめ決まっていても良い。
前記専用領域は、データ記録または再生条件のテストのための専用領域として使われうる。
【００１４】
本発明の他の特徴は、複数の記録層を備えた情報記録媒体において、前記媒体に記録されるデータの容量によってフレキシブルに割り当てられる第１データ領域、前記第１データ領域の割当てによってフレキシブルに割り当てられる第１フレキシブル専用領域パート、第１固定専用領域パートを含む第１記録層と、前記媒体に記録されるデータの容量によってフレキシブルに割り当てられる第２データ領域、前記第２データ領域の割当てによってフレキシブルに割り当てられる第１フレキシブル専用領域パート、第１固定専用領域パートを含む第２記録層と、を備える。
【００１５】
前記第１固定専用領域パートは、第１専用領域を含み、前記第２固定専用領域パートは、第２専用領域を含み、前記第１専用領域に対応する位置にある前記第２記録層の第１対応領域及び前記第２専用領域に対応する位置にある前記第１記録層の第２対応領域は、各々未記録状態になっていることが望ましい。
【００１６】
前記第１専用領域及び前記第２専用領域でのデータ記録方向は、互いに対向する記録方向であり、前記第１専用領域の最終位置及び前記第２専用領域の最終位置は、フレキシブルに決まることが望ましい。
【００１７】
前記第１対応領域と前記第１専用領域との間、及び前記第２対応領域と前記第２専用領域との間には、前記第２記録層へのデータ記録時に前記第１記録層に亙るビームの半径影響で使用できない領域を考慮したバッファ領域が備えられることが望ましい。
【００１８】
前記第１固定専用領域パートは、前記第１専用領域前に既定の位置にある第１ミドル領域をさらに含み、前記第２固定専用領域パートは、前記第２専用領域前に既定の位置にある第２ミドル領域をさらに含むことが望ましい。
【００１９】
前記第２固定専用領域パートは、第３専用領域をさらに含み、前記第３専用領域に対応する位置にある前記第１記録層の第３対応領域は、前記第３専用領域を使用する前にあらかじめデータが記録されていることが望ましい。
【００２０】
前記第３専用領域の最終位置は、フレキシブルであるか、または固定されている。
【００２１】
前記第１固定専用領域パートは、前記第１専用領域前に既定の位置にある第１ミドル領域をさらに含み、前記第２固定専用領域パートは、前記第２専用領域前に既定の位置にある第２ミドル領域をさらに含むことが望ましい。
【００２２】
前記第１フレキシブル専用領域パートは、第３ミドル領域と第４専用領域とを含み、前記第２フレキシブル専用領域パートは、第４ミドル領域と第５専用領域とを含み、前記第４専用領域に対応する位置にある前記第２記録層の第４対応領域及び前記第５専用領域に対応する位置にある前記第１記録層の第５対応領域は、各々未記録状態になっていることが望ましい。
【００２３】
前記第４専用領域及び前記第５専用領域でのデータ記録方向は、互いに対向する記録方向であり、前記第４専用領域の最終位置及び前記第５専用領域の最終位置は、フレキシブルに決まることが望ましい。
【００２４】
前記第５対応領域と前記第４専用領域との間、及び前記第４対応領域と前記第５専用領域との間には、前記第２記録層へのデータ記録時に前記第１記録層に亙るビームの半径影響で使用できない領域を考慮したバッファ領域が備えられることが望ましい。
【００２５】
前記第２フレキシブル専用領域パートは、第６専用領域をさらに含み、前記第６専用領域に対応する位置にある前記第１記録層の第６対応領域は、前記第６専用領域を使用する前にあらかじめデータが記録されていることが望ましい。
【００２６】
前記第６専用領域の最終位置は、フレキシブルであるか、または固定されている。
【００２７】
前記第１フレキシブル専用領域パートと前記第１固定専用領域パートとの間の領域及び前記第２フレキシブル専用領域パートと前記第２固定専用領域パートとの間の領域には、データが記録されないことが望ましい。
【００２８】
本発明のさらに他の特徴は、記録／再生装置において、各記録層がリードイン領域またはリードアウト領域、データ領域、連結領域、専用領域を含む、複数の記録層を有する情報記録媒体に／からデータを記録／読出する書込み／読出し部と、前記記録層に記録されるデータの容量に対応するようにフレキシブルに前記データ領域を割り当て、前記データ領域後に前記連結領域を割り当て、前記連結領域後に前記専用領域を割り当て、前記媒体に／からデータを記録／読出するように前記書込み／読出し部を制御する制御部を備えることである。
【００２９】
本発明のさらに他の特徴は、記録／再生装置において、複数の記録層を含む情報記録媒体に／からデータを記録／読出する書込み／読出し部と、前記媒体の第１記録層に前記媒体に記録されるデータの容量によってフレキシブルに割り当てられる第１データ領域、前記第１データ領域の割当てによってフレキシブルに割り当てられる第１フレキシブル専用領域パート、第１固定専用領域パートを割り当て、前記媒体の第２記録層に前記媒体に記録されるデータの容量によってフレキシブルに割り当てられる第２データ領域、前記第２データ領域の割当てによってフレキシブルに割り当てられる第１フレキシブル専用領域パート、第１固定専用領域パートを割り当て、前記媒体に／からデータを記録／読出するように前記書込み／読出し部を制御する制御部とを備えることである。
【００３０】
本発明のさらに他の特徴は、記録／再生方法において、各記録層がリードイン領域またはリードアウト領域、データ領域、連結領域、専用領域を含む、複数の記録層を有する情報記録媒体で前記記録層に記録されるデータの容量に対応するようにフレキシブルに前記データ領域を割り当て、前記データ領域後に前記連結領域を割り当て、前記連結領域後に前記専用領域を割り当てるステップと、前記割り当てられたデータ領域に／からデータを記録／読出するステップとを含むことである。
【００３１】
本発明のさらに他の特徴は、記録／再生方法において、複数の記録層を含む情報記録媒体の第１記録層に前記媒体に記録されるデータの容量によってフレキシブルに割り当てられる第１データ領域、前記第１データ領域の割当てによってフレキシブルに割り当てられる第１フレキシブル専用領域パート、第１固定専用領域パートを割り当て、前記媒体の第２記録層に前記媒体に記録されるデータの容量によってフレキシブルに割り当てられる第２データ領域、前記第２データ領域の割当てによってフレキシブルに割り当てられる第１フレキシブル専用領域パート、第１固定専用領域パートを割り当て、前記割り当てられたデータ領域に／からデータを記録／読出するステップを含むことである。
【発明の効果】
【００３２】
本発明によれば、複数の記録層を備えた光ディスクの外周領域に所定目的のための専用領域を選択的に割り当てることができる。特に、光ディスクの記録特性及び外周領域の記録特性を考慮して外周領域に所定目的のための専用領域を選択的に割り当てることができる多様な光ディスクのフォーマットを提供する。
【発明を実施するための最良の形態】
【００３３】
以下、添付された図面を参照して本発明による実施形態を詳細に説明する。
【００３４】
図２Ａ及び図２Ｂは、本発明の一実施形態による光ディスクの構造を示す図である。図２Ａ及び図２Ｂに示された光ディスクは、二つの記録層Ｌ１及びＬ２を備えたデュアルレイヤ光ディスクである。
【００３５】
まず、図２Ａを参照するに、記録層Ｌ１は、第１データ領域１と第１外側領域を含む。前記第１外側領域は、内周から外周方向に第１連結領域（ミドル  エリア）２、第１未使用領域３、第１バッファ領域４、第１専用領域５、第１事前記録領域６及び第１未記録領域７を含む。記録層Ｌ２は、第２データ領域８と第２外側領域とを含む。前記第２外側領域は、内周から外周方向に第２連結領域９、第２専用領域１０、第２バッファ領域１１、第２未使用領域１２、第３バッファ領域１３、第３専用領域１４及び第２未記録領域１５を含む。
【００３６】
第１データ領域１及び第２データ領域８は、ユーザデータを記録するための領域である。第１連結領域２及び第２連結領域９には、データ領域が終了されたことを示す所定パターンのデータが記録される。データ記録及び／再生装置は、前記所定パターンのデータを読出して判読することによって、データ領域でない、連結領域であることを認識する。一方、前記所定パターンのデータは、リードアウト属性を有するデータを一般的に記録する。
【００３７】
第１専用領域５、第２専用領域１０、第３専用領域１４は、データ記録及び／または再生装置が特殊な目的のために使用する領域であって、例えば、最適のパワー制御（ＯＰＣ）のためのテスト領域である。しかし、第１専用領域ないし第３専用領域は、テスト領域以外の他の用途の領域、すなわち、ドライブでユーザデータを記録する前に行なう記録と関連した情報のための領域を含む。例えば、所定のデータ記録及び／または再生装置により、何時記録が行なわれたかなどを知らせる情報などを記録するための領域でもあり得る。
【００３８】
第１未使用領域３と第２未使用領域１２は、全く用いられていない領域である。書換え型複数の記録層を備えた光ディスクの場合、如何なる記録層に先に記録するかによって記録特性が変わる、特に光ディスクの外周領域の記録特性は、内周領域の記録特性よりさらに悪い。したがって、第１専用領域の位置と同じ位置にある対応する記録層Ｌ２の領域を第２未使用領域に指定し、何らのデータも記録しないようにする。同様に、第２専用領域の位置と同じ位置の記録層Ｌ１の領域を第１未使用領域と指定して、何らのデータも記録しないようにする。もし、このような専用領域がテスト領域として使われる場合、そして、記録層Ｌ２に記録時に、レーザービームが記録層Ｌ１を通過してＬ２に入射してテスト記録時に第１未使用領域３を通過して第２専用領域１０にテスト記録を行った後、このテスト結果に記録層Ｌ２による特性パラメータをさらに付加して記録層Ｌ２の記録条件を探しうる。
【００３９】
第１バッファ領域４、第２バッファ領域１１、第３バッファ領域１３は、光ディスクの偏心と照射される光のサイズとを考慮して設けられた領域である。図３を参照してさらに詳細に説明する。
【００４０】
図３は、記録層Ｌ２に照射される光の影響を受ける記録層Ｌ１の領域を説明するための図である。データ記録及び／または再生装置の対物レンズ３００を通じて記録層Ｌ２の特定位置に光４００が集束されれば、図示されたように半径ｙに該当する記録層Ｌ１の領域が光４００の影響を受ける。第１バッファ領域ないし第３バッファ領域は、他の記録層にデータ記録のために照射される光の影響、光のサイズ及び光ディスクの偏心などの要素を考慮してあらかじめ決まっている大きさに割り当てられる。
第１事前記録領域６は、第３専用領域１４を使用するために設けられた領域であって、第３専用領域１４を使用する前に多様な方式によって、そして多様な時点にデータが記録される。例えば、ディスク製作者によりディスク製作時に事前記録領域と決定された位置にピットを形成する方式で記録するか、データ記録及び再生装置により第３専用領域１４を使用する前に所定方式でデータを事前記録領域に記録しうる。第３専用領域１４の場合には、既に記録層Ｌ１が記録された状態でテストが行われるために、テスト結果に記録層Ｌ２による特性パラメータをさらに付加する必要がない。
【００４１】
第１未記録領域７及び第２未記録領域１５は、ディスクの最外周に位置した領域であり、悪い記録特性などを考慮してデータを記録しない領域と指定される。しかし、第１未記録領域及び第２未記録領域を割り当てられないこともある。未記録領域は、ユーザのために使われない領域またはブランク領域とも言える。
【００４２】
図２Ａに示された例において、第１連結領域２と第２連結領域９は、ディスクの外周部の既定の位置に設けられ、第１専用領域５、第２専用領域１０、第３専用領域１４及び第１事前記録領域６の容量は、フレキシブルに割り当てられる。図２Ａに示した光ディスクの第３専用領域及び事前記録領域の外周方向の境界は、本実施形態による光ディスクがローディングされたデータ記録及び再生装置により決定される。
【００４３】
図２Ｂに示す光ディスクの構造も図２Ａに示す光ディスクの構造と同一である。但し、図２Ａに示した光ディスクの場合、第３専用領域１４及び第１事前記録領域６の外周方向境界が可変的である一方、図２Ｂに示した光ディスクの場合、第３専用領域１４及び事前記録領域６の外周方向境界が固定的であるという点で差がある。
【００４４】
図４Ａないし図９Ｂに示した実施形態による光ディスクは、各記録層の外側領域の大きさが元来より増加する場合、各記録層の外側領域の活用度を高めるために外側領域の多様なフォーマットを提示する。
【００４５】
図４Ａ及び図４Ｂは、本発明の他の実施形態による光ディスクの構造を示す図であって、２つの記録層Ｌ１及びＬ２を備えたデュアルレイヤ光ディスクである。
【００４６】
本実施形態では、二重記録層光ディスクにデータ記録時に、記録するユーザデータ容量が光ディスクに記録可能な全体記録容量より少なく、記録せねばならないユーザデータ容量をデータ記録及び／または再生装置があらかじめ分かる場合、２つの記録層Ｌ１及びＬ２に同量のユーザデータが記録されるようにデータ記録及び／または再生装置は各記録層のデータ領域の大きさを決定する。
【００４７】
各記録層のデータ領域の開始位置は、既に決まっているので、各記録層のデータ領域の大きさが決定されれば、各データ領域の最終位置が決定されうる。新たに決定された各データ領域の大きさは、元来より少ないので、各記録層のデータ領域の次の外側領域の大きさは元来より増加する。
【００４８】
図４Ａを参照するに、記録層Ｌ１は、第１データ領域２１と第１外側領域を含む。前記第１外側領域は、内周から外周方向に第３連結領域２２、第３未使用領域２３、第４バッファ領域２４、第４専用領域２５、第２事前記録領域２６及び第３未記録領域２７、第１連結領域２、第１未使用領域３、第１バッファ領域４、第１専用領域５、第１事前記録領域６、第１未記録領域７を含む。すなわち、図４Ａに示された記録層Ｌ１の第１外側領域の構造は、図２Ａに示した第１外側領域の構造が反復された形である。但し、第１連結領域２の開始位置は、固定されているが、第３連結領域２２の開始位置は、データ領域の容量によってフレキシブルに決まりうる。
【００４９】
図４Ａの記録層Ｌ２は、第２データ領域と第２外側領域を含む。前記第２外側領域は、内周から外周方向に第４連結領域２９、第５専用領域３０、第５バッファ領域３１、第４未使用領域３２、第６バッファ領域３３、第６未使用領域３４及び第２連結領域９、第２専用領域１０、第２バッファ領域１１、第２未使用領域１２、第３バッファ領域１３、第３専用領域１４及び第２未記録領域１５を含む。すなわち、図４Ａに示された記録層Ｌ１の第１外側領域の構造は、図２Ａに示した第１外側領域の構造が反復された構造である。
【００５０】
図４Ａに示された実施形態による光ディスクは、第２事前記録領域２６及び第６専用領域３４及び第１事前記録領域６及び第３専用領域１４の外周方向境界が可変的である。これら領域の外周方向境界は、本実施形態による光ディスクがローディングされたデータ記録及び再生装置により決定される。
【００５１】
一方、第２未記録領域２７及び第４未記録領域３５を基準に各々右側に割り当てられた領域は、固定的に常に割り当てられるが、第２未記録領域２７及び第４未記録領域３５を基準に各々左側に割り当てられた領域の割当て如何は、データ記録及び／または再生装置により選択的に決定されうる。また、第２未記録領域２７及び第４未記録領域３５を基準に各々左側に割り当てられた領域が割り当てられた場合、第２未記録領域２７及び第４未記録領域３５を基準に各々右側に割り当てられた領域は使用されても、使用されなくても良い。
【００５２】
図４Ｂに示された光ディスクの構造及び使用方法は、図４Ａに示した光ディスクの構造及び使用方法と同一である。但し、図４Ｂに示した光ディスクの場合、第２事前記録領域２６及び第６専用領域３４の外周方向境界は、フレキシブルであるが、第１事前記録領域６及び第３専用領域１４の外周方向境界は、固定的である。
【００５３】
以下、図４Ａ及び図４Ｂに示した本発明の一実施形態による光ディスクの構造に基づいて本発明の他の実施形態による光ディスクの構造及びその使用方法について説明する。
【００５４】
図５Ａ及び図５Ｂは、本発明のさらに他の実施形態による光ディスクの構造を示す図である。図５Ａに示した光ディスクは、図４Ａに示した光ディスクに設けられた第１事前記録領域６、第３バッファ領域１３及び第３専用領域１４を含まないという点で差がある。同様に、図５Ｂに示した光ディスクは、図４Ｂに示した光ディスクに設けられた第１事前記録領域６、第３バッファ領域１３及び第３専用領域１４を含まないという点で差がある。
【００５５】
図６Ａ及び６Ｂは、本発明のさらに他の実施形態による光ディスクの構造を示す図である。図６Ａに示した光ディスクは、図４Ａに示した光ディスクに設けられた第２事前記録領域２６、第６バッファ領域３３及び第６専用領域３４を含まないという点で差がある。同様に、図６Ｂに示した光ディスクは、図４Ｂに示した光ディスクに設けられた第２事前記録領域２６、第６バッファ領域３３及び第６専用領域３４を含まないという点で差がある。
【００５６】
図７Ａ及び７Ｂは、本発明のさらに他の実施形態による光ディスクの構造を示す図である。図７Ａに示した光ディスクは、図４Ａに示した光ディスクに設けられた第１連結領域２及び第２連結領域９を含まないという点で差がある。同様に、図７Ｂに示した光ディスクは、図４Ｂに示した光ディスクに設けられた第１連結領域２及び第２連結領域９を含まないという点で差がある。
【００５７】
図８Ａ及び８Ｂは、本発明のさらに他の実施形態による光ディスクの構造を示す図である。図８Ａに示した光ディスクは、図５Ａに示した光ディスクに設けられた第１連結領域２及び第２連結領域９を含まないという点で差がある。同様に、図８Ｂに示した光ディスクは、図５Ｂに示した光ディスクに設けられた第１連結領域２及び第２連結領域９を含まないという点で差がある。
【００５８】
図９Ａ及び９Ｂは、本発明のさらに他の実施形態による光ディスクの構造を示す図である。図９Ａに示した光ディスクは、図６Ａに示した光ディスクに設けられた第１連結領域２及び第２連結領域９を含まないという点で差がある。同様に、図９Ｂに示した光ディスクは、図６Ｂに示した光ディスクに設けられた第１連結領域２及び第２連結領域９を含まないという点で差がある。
【００５９】
以上、二重記録層光ディスクの場合を例としたが、本発明は、これに限定されず、記録層が２つ以上である光ディスクの場合にも同じ方式で適用しうる。
【００６０】
また、前述した本発明の実施形態による光ディスクにデータを記録する方向がＯＴＰ（オポジット  トラック  パス）である場合を例として説明したが、記録方向がＰＴＰ（パラレル  トラック  パス）である場合にも同じ方式で適用しうる。
【００６１】
また、前述した連結領域は、事前記録方法またはプリエンボス方法でデータが記録されても、データ記録及び／または再生装置によりデータ領域が使われた後にデータ記録及び／または再生装置によりデータが記録されても良いので、多様な実施形態を挙げて説明した。
【００６２】
図１０は、本発明によってディスクを割り当てて使用する記録／再生装置の概略図である。図１０を参照するに、本発明による記録／再生装置１００は、記録または再生が可能な装置であって、書込み／読出し部１２０及び制御部１１０を含む。書込み／読出し部１２０は、制御部１１０の制御によって、本発明による情報記録媒体であるディスク１３０にデータを記録し、記録されたデータを再生するためにデータを読出す。制御部１１０は、本発明によってデータを所定記録単位ブロックで記録するように書込み／読出し部１２０を制御するか、書込み／読出し部１２０により読出されたデータを処理して有効なデータを得る。
【００６３】
特に、本発明によって制御部１１０は、ディスク１３０にデータを記録する前に記録するデータの容量を確認した後、記録するデータ容量ほど第１記録層と第２記録層とにデータ領域を割り当て、残りの領域に専用領域を割り当てられうる。この際、データ領域の終了を知らせる連結領域をデータ領域の直後に配置し、連結領域以後に専用領域を配置し、専用領域の場合にも、連結領域に直ちに隣接するように配置しても、連結領域と無関係に、固定した位置に専用領域を配置しても良い。また専用領域の容量もフレキシブルに割り当てても、固定的に割り当てても良い。また図２Ａないし図９Ｂに示されたフォーマットでディスクを割り当てて使用する場合に、制御部１１０はバッファ領域の位置及び容量を割り当てることができ、また事前記録領域の位置及び容量を割り当てることができ、また専用領域の位置及び容量を割り当てることもできる。
【００６４】
以上、本発明についてその望ましい実施形態を中心に説明した。本発明が属する技術分野で当業者は、本発明が本発明の本質的な特性から外れない範囲で変形された形態に具現されうるということを理解できるであろう。本発明の範囲は、前述した説明ではなく、特許請求の範囲に現れており、それと同等な範囲内にあるあらゆる差異点は本発明に含まれていると解釈せねばならない。
【産業上の利用可能性】
【００６５】
本発明は、情報記録媒体、記録／再生装置及び記録／再生方法に適用されうる。
【図面の簡単な説明】
【００６６】
【図１Ａ】従来の技術による書換え型光ディスクの一般的な構造を示す図である。
【図１Ｂ】従来の技術による再生専用光ディスクの一般的な構造を示す図である。
【図２Ａ】本発明の一実施形態による光ディスクの構造を示す図である。
【図２Ｂ】本発明の一実施形態による光ディスクの構造を示す図である。
【図３】記録層Ｌ２に照射される光の影響を受ける記録層Ｌ１の領域を説明するための図である。
【図４Ａ】本発明の他の実施形態による光ディスクの構造を示す図である。
【図４Ｂ】本発明の他の実施形態による光ディスクの構造を示す図である。
【図５Ａ】本発明のさらに他の実施形態による光ディスクの構造を示す図である。
【図５Ｂ】本発明のさらに他の実施形態による光ディスクの構造を示す図である。
【図６Ａ】本発明のさらに他の実施形態による光ディスクの構造を示す図である。
【図６Ｂ】本発明のさらに他の実施形態による光ディスクの構造を示す図である。
【図７Ａ】本発明のさらに他の実施形態による光ディスクの構造を示す図である。
【図７Ｂ】本発明のさらに他の実施形態による光ディスクの構造を示す図である。
【図８Ａ】本発明のさらに他の実施形態による光ディスクの構造を示す図である。
【図８Ｂ】本発明のさらに他の実施形態による光ディスクの構造を示す図である。
【図９Ａ】本発明のさらに他の実施形態による光ディスクの構造を示す図である。
【図９Ｂ】本発明のさらに他の実施形態による光ディスクの構造を示す図である。
【図１０】本発明による記録／再生装置の一例を示す図である。
【図１Ａ】
2008507068.tif 000003
【図１Ｂ】
2008507068.tif 000004
【図２Ａ】
2008507068.tif 000005
【図２Ｂ】
2008507068.tif 000006
【図３】
2008507068.tif 000007
【図４Ａ】
2008507068.tif 000008
【図４Ｂ】
2008507068.tif 000009
【図５Ａ】
2008507068.tif 000010
【図５Ｂ】
2008507068.tif 000011
【図６Ａ】
2008507068.tif 000012
【図６Ｂ】
2008507068.tif 000013
【図７Ａ】
2008507068.tif 000014
【図７Ｂ】
2008507068.tif 000015
【図８Ａ】
2008507068.tif 000016
【図８Ｂ】
2008507068.tif 000017
【図９Ａ】
2008507068.tif 000018
【図９Ｂ】
2008507068.tif 000019
【図１０】
2008507068.tif 000020
【国際調査報告】
2008507068.tif 000021
2008507068.tif 000022